(57)【特許請求の範囲】
【請求項１】
筆記具の軸筒の後部に消しゴムが取り付けられた消しゴム受け部材を有する筆記具であって、その消しゴム受け部材の外周面に鍔部を形成し、その鍔部に空気流通路を形成すると共に、消しゴム受け部材の内面に内鍔を形成し、その内鍔に貫通孔を形成したことを特徴とする筆記具に於ける消しゴム受け部材。
【請求項２】
筆記具の軸筒の後部に消しゴムが取り付けられた消しゴム受け部材を有する筆記具であって、その消しゴム受け部材の長手方向に芯の外径より大きな空気流通路を形成すると共に、その空気流通路を非直線状に形成し、また、消しゴム受け部材の内面に鍔部を形成し、その鍔部の外径付近に空気流通路を形成したことを特徴とする筆記具に於ける消しゴム受け部材。
【発明の詳細な説明】
【０００１】
【発明の属する技術分野】
本発明は、筆記具の軸筒の後部に消しゴムが取り付けられた消しゴム受け部材を有する筆記具に関する。
【０００２】
【従来の技術】
軸筒の後部に消しゴム受け部材を有するシャ−プペンシルを１例として挙げ説明する。その代表的な例として、実開昭５６−１４９６９１号公報や実開昭６４−４８２９６号公報が知られている。
前記実開昭５６−１４９６９１号公報の実用新案登録請求の範囲には、「シャ−プペンシルの本体内に設けられている芯収納筒の芯出入口に取外し可能に嵌入し、かつ消しゴムを抱持する抱持筒の後端には、上記芯出入口の口端々縁に突き当たる段差を形成するように外径を拡大した段差筒を連結し、この段差筒の後端には、上記芯出入り口に取外し可能に嵌入しうる消しゴム繰り出しガイド筒を連設し、上記消しゴム抱持筒の先端側内壁には、消しゴムの同筒内における先端方向への摺動を阻止する方向に突出する突起部を設けて成るシャ−プペンシル用消しゴムホルダ−。」と記載されている。つまり、筒状の消しゴムホルダ−内に嵌入している消しゴムを摺動させることにより、その消しゴムを消しゴムホルダ−より繰り出そうとするものである。
【０００３】
また、前記実開昭６４−４８２９６号公報の実用新案登録請求の範囲には、「両端間に間隙１を設けて消しゴム３を抱持する可撓性の抱持体２の上端部に、消しゴム３を押さえ込む消しゴム押さえ４を有する複数の突出条５を設け、この突出条５から間隙６を置いて消しゴム３に食い込む複数の窪み部７を抱持体２に設けると共に、この抱持体２を消しゴム３に挾持せしめ、この消しゴム３に抱持した抱持体２を窪み部７側から芯タンク８内に嵌入して突出条５に係止してなるシャ−プペンシル用消しゴム止め具。」と記載されている。つまり、間隙などが形成された消しゴム止め具によって、消しゴムの引っ込みやぐらつきなどを防止したものである。
【０００４】
【発明が解決しようとする課題】
しかし、近年においては、子どもに対する安全性が叫ばれるようになってきた。筆記具にも関心が寄せられており、ボ−ルペンやマ−キングペンなどに取り付けられているキャップなどが代表的な例である。そのキャップには、長手方向に空気流通路が形成されており、子どもが、万一、飲み込み咽に支えた場合にも、ある程度、空気の流通（呼吸）が行われるようになっている。
そして、この安全性の問題は、最近においては、ボ−ルペンなどのキャップ以外のシャ−プペンシルにも目が向けられるようになってきた。特に、シャ−プペンシルの後方に着脱自在に取り付けられている消しゴムやその消しゴムを保持している消しゴムホルダ−に対する安全性に着目され、それ故に、それらの改良が必要となってきた。
【０００５】
しかし、上記何れの技術においても、空気が流通するような孔や溝が消しゴムにもホルダ−にも形成されていない。尚、実開昭６４−４８２９６号公報には、間隙１が設けられているが、充分に空気が流通するものとは云えない。ここで、単に、前記ホルダ−の厚みを厚くしたり、消しゴムに貫通孔を開けたりすることにより、空気流通路を形成することも考えられるが、ホルダ−の厚みや貫通孔の大きさを芯より大きく形成してしまうと、芯が間隙や貫通孔より通過し落下してしまうと云う問題が生じる。
【０００６】
【課題を解決するための手段】
本発明は、上記問題点に鑑みてなされたものであり、筆記具の軸筒の後部に消しゴムが取り付けられた消しゴム受け部材を有する筆記具であって、その消しゴム受け部材の外周面に鍔部を形成し、その鍔部に空気流通路を形成すると共に、消しゴム受け部材の内面に内鍔を形成し、その内鍔に貫通孔を形成したことを第１の要旨とし、筆記具の軸筒の後部に消しゴムが取り付けられた消しゴム受け部材を有する筆記具であって、その消しゴム受け部材の長手方向に芯の外径より大きな空気流通路を形成すると共に、その空気流通路を非直線状に形成し、また、消しゴム受け部材の内面に鍔部を形成し、その鍔部の外径付近に空気流通路を形成したことを第２の要旨とするものである。
【０００７】
【実施例】
第１例を図１〜図３に示し説明する。本発明の消しゴム受け部材を、シャ−プペンシルに取り付けた場合に例である。軸本体１の内部には、芯を貯蔵する芯タンク２が摺動自在に配置されている。また、その芯タンク２の前端（図１中下方）には、チャックリング３により開閉するチャック体４が固定されている。勿論、そのチャック体４は芯を把持し、又、繰り出すものでもある。
前記軸本体１の前端には、ゴム材質よりなる芯戻り止め部材５を内部に有する先部材６が螺着などにより固定されており、その先部材６の先端には、ステンレス材質などよりなる芯保護管７が圧入・固定されている。
符号８は、芯タンク２、並びに、チャック体４を後方（図１中上方）に付勢するチャックスプリングである。以上の構成は、一般的なシャ−プペンシルと同様である。
【０００８】
前記芯タンク２の後方部は、軸本体１の後端より突出させた状態で配置されており、その突出した部分（突出部）には、消しゴム受け部材９が着脱自在に圧入されている。その消しゴム受け部材９の中間部外周面には、鍔部１０が形成されている。そして、その鍔部１０には、使用する芯の外径より大きな空気流通路（スリット）１１が放射状に形成されている。図示例のものにおいては、空気流通路１１をスリットとして形成しているが、使用する芯より大きな円や楕円状の貫通孔であっても良い。
符号１２は、消しゴム受け部材９に圧入された消しゴムであり、その消しゴム１２は、消しゴム受け部材９の中間部内面に形成された内鍔１３によって、没入を防止している。また、符号１４は、消しゴム受け部材９の下方内面に形成された長手方向の縦リブであり、前記芯タンク２との圧入力を調整しているものである。
【０００９】
次に、作用について説明する。消しゴム１２を使用する際、芯タンク２に取り付けた状態で使用することもあるが、芯タンク２から消しゴム受け部材９を分離させ、使用することもある。また、新たな芯を補給するときも分離する。この様に分離して使用した場合であるが、子どもが誤って消しゴム受け部材９を飲み込んでしまっても、前記空気流通路１１から空気が流入し、ある一定の時間においては窒息死などを極力防止する。
【００１０】
尚、図示例のものにおいては、軸本体１の後方にクリップＸを取り付けたが、消しゴム受け部材９に取り付けても良い。クリップＸの高さによっては、空気流通性が更に高まるものである。
また、消しゴム受け部材をシャ−プペンシルに取り付けた例を示したが、ボ−ルペンなどに取り付けても良いものである。
【００１１】
第２例を図４〜図６に示し説明する。消しゴム受け部材１５は、後方の小径部１６と前方の大径部とより構成されており、それら小径部１６と大径部１７とは、適宜間隔１８をおいて、連結部１９によって連結されている。この連結部１９は、図示例のものにおいては、対向する２か所に形成したが、この例に限ったものではない。少なくとも、隣接する連結部１９の間に使用する芯より大きな四角状の孔２０が形成されれば良いのである。尚、前記小径部１６と大径部１７とによって形成される間隔１８も芯の径より大きな間隔となっている。また、前記小径部１６の外周面には、芯の径より高い突部２１が後端部から前端部にかけて形成されている。
これら、隣接する突部２１によって形成される間隙や小径部１６と大径部１７とによって形成される間隔１８、並びに、四角状の孔２０によって、空気流通路が形成され空気が流通するのである。
尚、図７に示すように、小径部１６の内面に円周リブ２２を形成することによって、消しゴム１２を強固に保持するようにしても良い。
【００１２】
第３例を図８〜図１２に示し説明する。消しゴム２３の中央部にも貫通孔２４を形成することによって、空気流通路を設けたものである。その貫通孔２４は、消しゴム２３の後端から前端にかけて形成されている。消しゴム使用の際に生じる消しゴムへの応力を考慮すると、前記貫通孔２４は図示の如く円形状のものが好ましい。また、円形状とすることにより、成形も容易である。
一方、消しゴム２３を保持する消しゴム受け部材２５の内面には、消しゴム２３の前端を受ける内鍔２６が形成されており、その内鍔２６の中央部には孔２７が形成されているが、内鍔２６の内側からは下方に向けて複数の脚部２８が形成されている。そして、その脚部２８の前端には、円形の蓋部２９が一体的に形成されている。この蓋部２９の大きさは、消しゴム受け部材２５の内径より小さいが、芯タンク２の後端開口部を塞ぐ大きさを有して成り、芯の脱落を防止しているのである。
本例においては、消しゴム２３の貫通孔２４、並びに、隣接する脚部２８の間に形成される間隙や消しゴム受け部材２５の内径と蓋部２９の外径とによって形成される間隙によって、空気流通路が形成される。また、本例においては、消しゴム自体にも貫通孔が形成されているので、万が一、消しゴムが消しゴム受け部材から外れ、その消しゴムを飲み込んだ場合でも空気流通路が確保されるものである。
【００１３】
第４例を図１３〜図１６に示し説明する。前記第３例の変形例であるが、消しゴム２３には、前記第３例と同様に貫通孔２４が形成されている。消しゴム受け部材３０は、消しゴム２３を把持する後方部３１と芯タンク２の嵌合する前方部３２とより構成されている。それら、後方部３１と前方部３２とは、対向する２つの連結部３３により連結されている。また、その連結部３３の互いが対向する外周面に、長手方向のスリット３４が形成されている。さらに、連結部材３３の中間部には、芯タンク２の後端開口部を塞ぐ大きさを有して成る蓋部３５が一体的に形成されており、その蓋部３５から前方の連結部３３は、芯タンク２に嵌合するために、その内面が円形に形成されている（図１６参照）。
本例においては、消しゴム２３の貫通孔２４、並びに、対向する連結部３３によって形成される間隙３６やスリット３４によって、空気流通路が形成される。
【００１４】
第５例を図１７〜図２０に示し説明する。前記第３例の変形例であるが、消しゴム２３には、前記第３例と同様に貫通孔２４が形成されている。消しゴム受け部材３７の中間部内面には、内鍔３８が形成されており、その内鍔３８の中央部分には、小判型の貫通孔３９が形成されている。その貫通孔３９の外周近傍からは下方に向けて２つの脚部４０が対向した位置に形成されている。そして、その脚部４０の前端には、円形の蓋部４１が一体的に形成されている。この蓋部４１大きさは、前記貫通孔３９の大きさより大きく形成されているが、芯タンク２の内径よりも小さく形成されている。消しゴム受け部材３７を芯タンクに取り付けた状態においては、芯タンク２内に遊挿されている。
本例においては、消しゴム２３の貫通孔２４、並びに、内鍔３８に形成されている貫通孔３９や、対向する脚部４０によって形成される間隙４２によって、空気流通路が形成される。
【００１５】
第６例を図２１〜図２３に示し説明する。消しゴム４３の外周面には、複数の縦溝４４が形成されている。一方、消しゴム受け部材４５の中間部内面には、内鍔４６が形成されており、その内鍔４６には、円周状に多数の貫通孔４７が形成されている。この貫通孔４７の形成位置は、芯が脱落しないように、消しゴム受け部材４５を芯タンク２に嵌合させた際、その芯タンク２の後端部で塞がれる位置に形成されている。勿論、前記縦溝４６や貫通孔４６の大きさは、使用する芯の外径より大きいものである。
本例においては、消しゴム４３の縦溝４４、並びに、貫通孔４６によって、空気流通路が形成される。
【００１６】
【発明の効果】
本発明は、筆記具の軸筒の後部に消しゴムが取り付けられた消しゴム受け部材を有する筆記具であって、その消しゴム受け部材の外周面に鍔部を形成し、その鍔部に空気流通路を形成すると共に、消しゴム受け部材の内面に内鍔を形成し、その内鍔に貫通孔を形成したことを第１の要旨とし、筆記具の軸筒の後部に消しゴムが取り付けられた消しゴム受け部材を有する筆記具であって、その消しゴム受け部材の長手方向に芯の外径より大きな空気流通路を形成すると共に、その空気流通路を非直線状に形成し、また、消しゴム受け部材の内面に鍔部を形成し、その鍔部の外径付近に空気流通路を形成したことを第２の要旨としたので、従来例に比し空気流通性が高く、しかも、筆記具がシャ−プペンシルにあっては、芯が通過しない消しゴム受け部材を提供することができる。
【図面の簡単な説明】
【図１】  本発明の第１例を示す縦半断面図。
【図２】  図１の消しゴム受け部材を示す拡大縦半断面図。
【図３】  図２の上面図。
【図４】  本発明の第２例を示す縦半断面図。
【図５】  図４のＡ−Ａ線断面図。
【図６】  図４の上面図。
【図７】  図４の変形例を示す縦半断面図。
【図８】  本発明の第３例を示す縦半断面図。
【図９】  図８の上面図。
【図１０】  図８のＢ−Ｂ線断面図。
【図１１】  図８のＣ−Ｃ線断面図。
【図１２】  図８のＤ−Ｄ線断面図。
【図１３】  本発明の第４例を示す縦半断面図。
【図１４】  図１３のＥ−Ｅ線断面図。
【図１５】  図１３のＦ−Ｆ線断面図。
【図１６】  図１３のＧ−Ｇ線断面図。
【図１７】  本発明の第５例を示す縦半断面図。
【図１８】  図１７のＨ−Ｈ線断面図。
【図１９】  図１７のＩ−Ｉ線断面図。
【図２０】  図１７のＪ−Ｊ線断面図。
【図２１】  本発明の第６例を示す縦半断面図。
【図２２】  図２１の上面図。
【図２３】  図２１のＫ−Ｋ線断面図。
【符号の説明】
１      軸本体
２      芯タンク
３      チャックリング
４      チャック体
５      芯戻り止め部材
６      先部材
７      芯保護管
８      チャックスプリング
９      消しゴム受け部材
１０    鍔部
１１    スリット
１２    消しゴム
１３    内鍔
１４    縦リブ
１５    消しゴム受け部材
１６    小径部
１７    大径部
１８    間隔
１９    連結部
２０    孔
２１    突部
２２    円周リブ
２３    消しゴム
２４    貫通孔
２５    消しゴム受け部材
２６    内鍔
２７    孔
２８    脚部
２９    蓋部
３０    消しゴム受け部材
３１    後方部
３２    前方部
３３    連結部
３４    スリット
３５    蓋部
３６    間隙
３７    消しゴム受け部材
３８    内鍔
３９    貫通孔
４０    脚部
４１    蓋部
４２    間隙
４３    消しゴム
４４    縦溝
４５    消しゴム受け部材
４６    内鍔
４７    貫通孔
Ｘ      クリップ
【図１】
0003765114.tif 000002
【図２】
0003765114.tif 000003
【図３】
0003765114.tif 000004
【図４】
0003765114.tif 000005
【図５】
0003765114.tif 000006
【図６】
0003765114.tif 000007
【図７】
0003765114.tif 000008
【図８】
0003765114.tif 000009
【図９】
0003765114.tif 000010
【図１０】
0003765114.tif 000011
【図１１】
0003765114.tif 000012
【図１２】
0003765114.tif 000013
【図１３】
0003765114.tif 000014
【図１４】
0003765114.tif 000015
【図１５】
0003765114.tif 000016
【図１６】
0003765114.tif 000017
【図１７】
0003765114.tif 000018
【図１８】
0003765114.tif 000019
【図１９】
0003765114.tif 000020
【図２０】
0003765114.tif 000021
【図２１】
0003765114.tif 000022
【図２２】
0003765114.tif 000023
【図２３】
0003765114.tif 000024